(57)【要約】【課題】補助容量からのカップリングの影響によって生じるクロストークを抑制する。【解決手段】表示装置１００は、上から順番にｋ−２行目、ｋ−１行目およびｋ行目の画素回路６００を備える。表示装置１００は、画素回路６００における発光素子６４０における１回の発光に対して閾値補正の動作を２回に分割して行う。各行の画素回路６００は、補助容量６７０をそれぞれ含む。電源スキャナ４００は、ｋ−２行目の電源線４２０、ｋ−１行目の電源線４３０、ｋ行目の電源線４４０の順番に電源電位を供給する。ｋ行目の画素回路６００における補助容量６７０は、閾値補正の分割数が２回であるため、ｋ行目の電源線４４０に対して２行上のｋ−２行目の電源線４２０にその一端が接続され、ｋ行目の画素回路６００における第２ノード６６０にその他端が接続される。【選択図】図１１
2010139905.tif 000002
【特許請求の範囲】
【請求項１】
２次元マトリックス状に配列された複数の画素回路と、
前記複数の画素回路の各行に対してそれぞれ配線された電源線と、
映像信号または閾値補正を行うための基準信号のいずれか一方にデータ信号を切り替える信号切替回路とを具備し、
前記複数の画素回路の各々は、
前記データ信号に相当する電圧を保持する保持容量と、
前記保持容量に対して前記閾値補正を行うことによって前記基準信号に基づいて閾値電圧を保持させた後に前記映像信号に相当する電圧を前記データ信号として書き込む書込みトランジスタと、
前記電源線を介して電源電位が加えられることによって前記保持容量に書き込まれた映像信号に応じた電流を出力する駆動トランジスタと、
前記駆動トランジスタから出力される電流に応じて発光する発光素子と、
当該画素回路における前記閾値補正の前に前記発光素子が発光する他の画素回路の行に対して配線された前記電源線と当該画素回路における前記発光素子の入力端子との間に付加される付加容量と
を含む表示装置。
【請求項２】
前記書込みトランジスタは、前記発光素子における１回の発光に対して複数回に分けて前記閾値補正を行うことによって前記駆動トランジスタの前記閾値電圧を前記保持容量に保持させる請求項１記載の表示装置。
【請求項３】
前記発光素子は、有機ＥＬ素子からなる請求項１記載の表示装置。
【請求項４】
２次元マトリックス状に配列された複数の画素回路と、
前記複数の画素回路の各行に対してそれぞれ配線された電源線と、
前記各行の電源線ごとに第１の電位から第２の電位に電源電位を順番に切り替える電源切替回路と、
映像信号または閾値補正を行うための基準信号のいずれか一方にデータ信号を切り替える信号切替回路とを具備し、
前記複数の画素回路の各々は、
前記データ信号に相当する電圧を保持する保持容量と、
当該画素回路における１回の発光に対して前記閾値補正を分割して行うことによって前記基準信号に基づいて閾値電圧を前記保持容量に保持させた後に前記映像信号に相当する電圧を前記データ信号として前記保持容量に書き込む書込みトランジスタと、
前記電源線に前記第１の電位が加えられる場合には前記保持容量の一端を初期化し、前記電源線に前記第２の電源電位が加えられる場合には前記保持容量に書き込まれた映像信号に応じた電流を出力する駆動トランジスタと、
前記駆動トランジスタから出力される電流に応じて発光する発光素子と、
当該画素回路の行に配線された前記電源線に対して前記電源電位が前記第２の電位に切り替えられるタイミングが前記順番において前記閾値補正の分割数以上先の行に配線される前記電源線と当該画素回路における前記発光素子の入力端子との間に付加される付加容量と
を含む表示装置。
【請求項５】
２次元マトリックス状に配列された複数の画素回路と、
前記複数の画素回路の各行に対してそれぞれ配線された電源線と、
映像信号または閾値補正を行うための基準信号のいずれか一方にデータ信号を切り替える信号切替回路とを具備し、
前記複数の画素回路の各々は、
前記データ信号に相当する電圧を保持する保持容量と、
前記保持容量に対して前記閾値補正を行うことによって前記基準信号に基づいて閾値電圧を保持させた後に前記映像信号に相当する電圧を前記データ信号として書き込む書込みトランジスタと、
前記電源線を介して電源電位が加えられることによって前記保持容量に書き込まれた映像信号に応じた電流を出力する駆動トランジスタと、
前記駆動トランジスタから出力される電流に応じて発光する発光素子と、
当該画素回路における前記閾値補正の前に前記発光素子が発光する他の画素回路の行に対して配線された前記電源線と当該画素回路における前記発光素子の入力端子との間に付加される付加容量と
を含む電子機器。
【発明の詳細な説明】
【技術分野】
【０００１】
本発明は、電子機器に関し、特に発光素子を画素に用いた表示装置、および、その表示装置を備える電子機器、および、これらにおける処理方法ならびに当該方法をコンピュータに実行させるプログラムに関する。
【背景技術】
【０００２】
発光素子として有機ＥＬ（Electroluminescence）素子を用いた平面自発光型の表示装置の開発が近年盛んに行われている。有機ＥＬ素子は、有機薄膜に電界をかけると発光するものであり、低電圧駆動で視認性もよいことから、表示装置の軽量薄膜化や低消費電力化などに寄与するものと期待されている。
【０００３】
この有機ＥＬ素子を用いた表示装置においては、画素回路を構成する駆動トランジスタによって有機薄膜に印加する電界の制御を行うが、この駆動トランジスタが有する閾値電圧および移動度には個体ごとにばらつきがある。そのため、これらの個体差を補正するための閾値補正処理および移動度補正処理が必要となる。従来、このような補正処理を備えた画素回路は、構成素子数が多くなるため、表示装置の高精細化に不向きであった。これに対し、画素回路に供給する電源電圧およびデータ信号をスイッチングさせることによって、画素回路の構成の簡素化が図られている。
【０００４】
このような表示装置においては、高精細化により、画素回路における保持容量の容量値が低下して、移動度補正処理による所定の補正量までの到達時間が速くなり過ぎてしまい、移動度補正処理における時間制御が難しくなる。そのため、保持容量の容量値を補うために補助容量を設けることによって、その時間制御を容易にする手法が考えられている。例えば、補助容量の一端を保持容量に接続し、他端を画素回路の電源線とは別の電源線に接続した表示装置が提案されている（例えば、特許文献１参照。）。
【特許文献１】特開２００８−０３３１９４号公報（図７）
【発明の開示】
【発明が解決しようとする課題】
【０００５】
上述の従来技術では、保持容量に一端が接続され、その保持容量を備える画素回路の電源線とは別の電源線に他端が接続される補助容量を設けることにより、移動度補正処理における時間制御を容易にすることができる。しかしながら、電源線には発光時において大きな電流が流れることによって電圧降下が生じるため、補助容量を設けた画素回路は、その補助容量を介して電源線の電圧降下によるカップリングの影響を受けることになる。このカップリングの影響により、画素回路における発光素子の輝度レベルが所定のレベルより高くなってしまう場合がある。このように、補助容量を介して電源線の電圧降下に起因するカップリングの影響を受けることによって、画素間に輝度差が生じてしまうことをクロストークと呼ぶ。
【０００６】
本発明はこのような状況に鑑みてなされたものであり、補助容量からのカップリングの影響によって生じるクロストークを抑制することを目的とする。
【課題を解決するための手段】
【０００７】
本発明は、上記課題を解決するためになされたものであり、その第１の側面は、２次元マトリックス状に配列された複数の画素回路と、上記複数の画素回路の各行に対してそれぞれ配線された電源線と、映像信号または閾値補正を行うための基準信号のいずれか一方にデータ信号を切り替える信号切替回路とを具備し、上記複数の画素回路の各々は、上記データ信号に相当する電圧を保持する保持容量と、上記保持容量に対して上記閾値補正を行うことによって上記基準信号に基づいて閾値電圧を保持させた後に上記映像信号に相当する電圧を上記データ信号として書き込む書込みトランジスタと、上記電源線を介して電源電位が加えられることによって上記保持容量に書き込まれた映像信号に応じた電流を出力する駆動トランジスタと、上記駆動トランジスタから出力される電流に応じて発光する発光素子と、当該画素回路における上記閾値補正の前に上記発光素子が発光する他の画素回路の行に対して配線された上記電源線と当該画素回路における上記発光素子の入力端子との間に付加される付加容量とを含む表示装置および電子機器である。これにより、電源線の電圧降下によって生じる付加容量からのカップリングの影響を閾値補正により軽減させるという作用をもたらす。
【０００８】
また、この第１の側面において、上記書込みトランジスタは、上記発光素子における１回の発光に対して複数回に分けて上記閾値補正を行うことによって上記駆動トランジスタの上記閾値電圧を上記保持容量に保持させるようにしてもよい。これにより、複数回に分けて行われる閾値補正によって保持容量に閾値電圧を保持させるという作用をもたらす。
【０００９】
また、この第１の側面において、上記発光素子として、有機ＥＬ素子を用いるようにしてもよい。これにより、駆動トランジスタから出力される電流に応じて有機ＥＬ素子を発光させるという作用をもたらす。
【００１０】
また、本発明の第２の側面は、２次元マトリックス状に配列された複数の画素回路と、上記複数の画素回路の各行に対してそれぞれ配線された電源線と、上記各行の電源線ごとに第１の電位から第２の電位に電源電位を順番に切り替える電源切替回路と、映像信号または閾値補正を行うための基準信号のいずれか一方にデータ信号を切り替える信号切替回路とを具備し、上記複数の画素回路の各々は、上記データ信号に相当する電圧を保持する保持容量と、当該画素回路における１回の発光に対して上記閾値補正を分割して行うことによって上記基準信号に基づいて閾値電圧を上記保持容量に保持させた後に上記映像信号に相当する電圧を上記データ信号として上記保持容量に書き込む書込みトランジスタと、上記電源線に上記第１の電位が加えられる場合には上記保持容量の一端を初期化し、上記電源線に上記第２の電源電位が加えられる場合には上記保持容量に書き込まれた映像信号に応じた電流を出力する駆動トランジスタと、上記駆動トランジスタから出力される電流に応じて発光する発光素子と、当該画素回路の行に配線された上記電源線に対して上記電源電位が上記第２の電位に切り替えられるタイミングが上記順番において上記閾値補正の分割数以上先の行に配線される上記電源線と当該画素回路における上記発光素子の入力端子との間に付加される付加容量とを含む表示装置である。これにより、電源線の電圧降下によって生じる付加容量からのカップリングの影響を閾値補正により軽減させるという作用をもたらす。
【発明の効果】
【００１１】
本発明によれば、補助容量からのカップリングの影響によって生じるクロストークを抑制することができるという優れた効果を奏し得る。
【発明を実施するための最良の形態】
【００１２】
次に本発明の実施の形態について図面を参照して詳細に説明する。
【００１３】
図１は、本発明の実施の形態における表示装置の基本構成例を示す概念図である。
【００１４】
表示装置１００は、ライトスキャナ（ＷＳＣＮ：Write SCaNner）２００と、水平セレクタ（ＨＳＥＬ：Horizontal SELector）３００と、電源スキャナ（ＤＳＣＮ：Drive SCaNner）４００とを備える。さらに、表示装置１００は、画素アレイ部５００と、走査線（ＷＳＬ：Write Scan Line）２１０と、データ線（ＤＴＬ：DaTa Line）３１０と、電源線（ＤＳＬ：Drive Scan Line）４１０とを備える。また、画素アレイ部５００は、ｎ×ｍの二次元マトリックス状に配列された複数の画素回路（ＰＩＸＣＥＬ）６００を備える。
【００１５】
走査線（ＷＳＬ）２１０および電源線（ＤＳＬ）４１０は、画素回路６００の各行に対してそれぞれ配線され、ライトスキャナ（ＷＳＣＮ）２００および電源スキャナ（ＤＳＣＮ）４００にそれぞれ接続される。また、データ線（ＤＴＬ）３１０は、画素回路６００の各列に配線され、水平セレクタ（ＨＳＥＬ）３００に接続される。この走査線（ＷＳＬ）２１０、データ線（ＤＴＬ）３１０および電源線（ＤＳＬ）４１０は、画素回路６００の各々にそれぞれ接続される。
【００１６】
ライトスキャナ（ＷＳＣＮ）２００は、２次元マトリック状に配列された複数の画素回路６００を線順次走査するものである。このライトスキャナ（ＷＳＣＮ）２００は、データ線（ＤＴＬ）３１０から供給されるデータ信号を画素回路６００に書き込むタイミングを行単位で順次制御する。また、ライトスキャナ（ＷＳＣＮ）２００は、そのデータ信号の書き込むタイミングを制御するための制御信号を走査線（ＷＳＬ）３１０に供給する。
【００１７】
水平セレクタ（ＨＳＥＬ）３００は、画素回路６００を構成する駆動トランジスタの閾値電圧の補正（閾値補正）を行うための基準信号または映像信号のいずれか一方にデータ信号を切り替えるものである。また、水平セレクタ（ＨＳＥＬ）３００は、ライトスキャナ（ＷＳＣＮ）２００による線順次走査に合わせてデータ信号を切り替える。この水平セレクタ（ＨＳＥＬ）３００は、そのデータ信号をデータ線（ＤＴＬ）３１０に供給する。なお、水平セレクタ（ＨＳＥＬ）３００は、特許請求の範囲に記載の信号切替回路の一例である。
【００１８】
電源スキャナ（ＤＳＣＮ）４００は、ライトスキャナ（ＷＳＣＮ）２００による線順次走査に合わせて、電源電位をＨ（Ｈｉｇｈ）レベルの電位（Ｖｃｃ）またはＬ（Ｌｏｗ）レベルの電位（Ｖｉｎｉ）のいずれか一方に切り替えるものである。この電源スキャナ（ＤＳＣＮ）４００は、電源線（ＤＳＬ）４１０各々に対して上から順番に電源電位を切り替えて供給する。なお、電源スキャナ（ＤＳＣＮ）４００は、特許請求の範囲に記載の電源切替回路の一例である。また、Ｌレベルの電位（Ｖｉｎｉ）およびＨレベルの電位（Ｖｃｃ）は、それぞれ特許請求の範囲に記載の第１電位および第２電位の一例である。
【００１９】
画素回路６００は、走査線（ＷＳＬ）２１０からの制御信号に基づいて、データ線（ＤＴＬ）３１０からの映像信号に相当する電圧に応じて所定の期間、発光するものである。
【００２０】
図２は、本発明の実施の形態の表示装置１００における画素回路６００の基本構成例を模式的に示す回路図である。画素回路６００は、書込みトランジスタ６１０と、駆動トランジスタ６２０と、保持容量６３０と、発光素子６４０とを備える。ここでは、書込みトランジスタ６１０および駆動トランジスタ６２０がそれぞれｎチャンネル型トランジスタである場合を想定する。
【００２１】
書込みトランジスタ６１０のゲート端子およびドレイン端子には、それぞれ走査線（ＷＳＬ）２１０およびデータ線（ＤＴＬ）３１０が接続される。また、書込みトランジスタ６１０のソース端子には、保持容量６３０の一方の電極および駆動トランジスタ６２０のゲート端子（ｇ）が接続される。ここでは、この接続部位を第１ノード（ＮＤ１）６５０とする。駆動トランジスタ６２０のドレイン端子（ｄ）には、電源線（ＤＳＬ）４１０が接続され、駆動トランジスタ６２０のソース端子（ｓ）には、保持容量６３０の他方の電極および発光素子６４０の入力端子が接続される。ここでは、この接続部位を第２ノード（ＮＤ２）６６０とする。
【００２２】
書込みトランジスタ６１０は、走査線（ＷＳＬ）２１０の制御信号に従って、データ線（ＤＴＬ）３１０からのデータ信号として閾値補正のための基準信号の電位（Ｖｏｆｓ）または映像信号の電位（Ｖｓｉｇ）を保持容量６３０に書き込むものである。この書込みトランジスタ６１０は、保持容量６３０に対して閾値補正によって基準信号の電位（Ｖｏｆｓ）に基づいて閾値電圧を保持させた後に映像信号に相当する電圧をデータ信号として書き込む。なお、書込みトランジスタ６１０は、特許請求の範囲に記載の書込みトランジスタの一例である。
【００２３】
駆動トランジスタ６２０は、電源線（ＤＳＬ）４１０からＨレベルの電位（Ｖｃｃ）が加えられることによって、保持容量６３０に書き込まれた映像信号の電位（Ｖｓｉｇ）に応じた駆動電流を発光素子６４０に出力するものである。なお、駆動トランジスタ６２０は、特許請求の範囲に記載の駆動トランジスタの一例である。
【００２４】
保持容量６３０は、書込みトランジスタ６１０によって書き込まれたデータ信号に相当する電圧を保持するためのものである。なお、保持容量６３０は、特許請求の範囲に記載の保持容量の一例である。
【００２５】
発光素子６４０は、駆動トランジスタ６２０から出力された駆動電流の大きさに応じて発光するものである。この発光素子６４０は、例えば、有機ＥＬ素子により実現することができる。なお、発光素子６４０は、特許請求の範囲に記載の発光素子の一例である。
【００２６】
なお、この例では、書込みトランジスタ６１０および駆動トランジスタ６２０がそれぞれｎチャンネル型トランジスタである場合を想定したが、この組み合わせに限られるものではない。また、これらのトランジスタは、エンハンスメント型のものでもよく、デプレッション型やデュアルゲート型のものでもよい。
【００２７】
図３は、本発明の実施の形態における画素回路６００の基本動作に関するタイミングチャートである。このタイミングチャートには、横軸を共通の時間軸として、走査線（ＷＳＬ）２１０、データ線（ＤＴＬ）３１０、電源線（ＤＳＬ）４１０、第１ノード（ＮＤ１）６５０および第２ノード（ＮＤ２）６６０の電位変化が示されている。ここでは、発光素子６４０における１回の発光に対して閾値補正の動作を２回に分割して行う場合を想定する。なお、各期間を示す横軸の長さは模式的なものであり、各期間の時間長の割合を示すものではない。
【００２８】
このタイミングチャートでは、画素回路６００の動作の遷移をＴＰ１からＴＰ１２の期間に便宜的に区切っている。発光期間ＴＰ１２では、発光素子６４０は発光状態にある。発光期間ＴＰ１２の終了直前において、走査線（ＷＳＬ）２１０の制御信号はＬレベルに、データ線（ＤＴＬ）３１０は基準信号の電位（Ｖｏｆｓ）に設定されている。また、電源線（ＤＳＬ）４１０の電源電位はＨレベル（Ｖｃｃ）に設定されている。この後、線順次走査の新しいフィールドに入り、閾値補正準備期間ＴＰ１では、電源線（ＤＳＬ）４１０の電源電位がＬレベル（Ｖｉｎｉ）に設定される。これにより、第２ノード（ＮＤ２）６６０の電位がＬレベルの電位（Ｖｉｎｉ）に初期化される。
【００２９】
続いて、閾値補正準備期間ＴＰ２では、走査線（ＷＳＬ）２１０の電位がＨレベルに上げられ、第１ノード（ＮＤ１）６５０が基準信号の電位（Ｖｏｆｓ）に初期化される。次に、閾値補正準備期間ＴＰ３では、データ線（ＤＴＬ）３１０が映像信号の電位（Ｖｓｉｇ）に遷移している間、走査線（ＷＳＬ）２１０の電位がＬレベルに設定される。そして、閾値補正準備期間ＴＰ４では、走査線（ＷＳＬ）２１０の電位がＨレベルに上げられ、第１ノード（ＮＤ１）６５０および第２ノード（ＮＤ２）６６０の初期化が終了して、閾値補正動作の準備が完了する。
【００３０】
次に、閾値補正期間ＴＰ５では、１回目の閾値補正動作が行われる。電源線（ＤＳＬ）４１０の電源電位がＨレベル（Ｖｃｃ）に設定され、第１ノード（ＮＤ１）６５０と第２ノード（ＮＤ２）６６０との間の電位差は「Ｖｘ」となる。この第１ノード（ＮＤ１）６５０と第２ノード（ＮＤ２）６６０との間の電位差（Ｖｘ）は、閾値電圧（Ｖｔｈ）に相当する電位差より大きい。次に、ＴＰ６では、データ線（ＤＴＬ）３１０が映像信号の電位（Ｖｓｉｇ）に遷移している間、走査線（ＷＳＬ）２１０の電位がＬレベルに設定される。
【００３１】
次に、閾値補正期間ＴＰ７では、２回目の閾値補正動作が行われる。走査線（ＷＳＬ）２１０の電位がＨレベルに設定され、第１ノード（ＮＤ１）６５０と第２ノード（ＮＤ２）６６０との間に駆動トランジスタ６２０の閾値電圧（Ｖｔｈ）に相当する電圧が加えられる。その後、ＴＰ８では、一旦、走査線（ＷＳＬ）２１０の制御信号がＬレベルの電位に落とされ、ＴＰ９では、データ線（ＤＴＬ）３１０のデータ信号が基準信号の電位（Ｖｏｆｓ）から映像信号の電位（Ｖｓｉｇ）に切り替えられる。
【００３２】
次に、書込み期間／移動度補正期間ＴＰ１０では、走査線（ＷＳＬ）２１０の制御信号の電位がＨレベルに上げられ、第１ノード（ＮＤ１）６５０の電位が映像信号の電位（Ｖｓｉｇ）まで上昇する。これに対して、第２ノード（ＮＤ２）６６０の電位は移動度補正による上昇量（ΔＶ）だけ上昇する。すなわち、走査線（ＷＳＬ）２１０の電位がＨレベルになるため、保持容量６３０の一方の電極には映像信号の電位（Ｖｓｉｇ）が書き込まれる。一方、保持容量６３０の他方の電極には、ＴＰ７において加えられた電位（Ｖｏｆｓ−Ｖｔｈ）から移動度補正による上昇量（ΔＶ）だけ上昇した電位（（Ｖｏｆｓ−Ｖｔｈ）＋ΔＶ）が加えられる。これにより、保持容量６３０には、「Ｖｓｉｇ−（（Ｖｏｆｓ−Ｖｔｈ）＋ΔＶ）」の電圧が加えられる。
【００３３】
この後、発光期間ＴＰ１１およびＴＰ１２では、走査線（ＷＳＬ）２１０の制御信号の電位はＬレベルに設定され、その後、データ線（ＤＴＬ）４１０が基準信号の電位（Ｖｏｆｓ）に設定される。これにより、保持容量６３０に加えられた電圧（Ｖｓｉｇ−Ｖｏｆｓ＋Ｖｔｈ−ΔＶ）に応じた輝度により発光素子６４０が発光する。この場合、保持容量６３０に加えられた電圧（Ｖｓｉｇ−Ｖｏｆｓ＋Ｖｔｈ−ΔＶ）は、閾値電圧（Ｖｔｈ）および移動度補正による上昇量（ΔＶ）によって調整されている。このため、発光素子６４０の輝度は、各駆動トランジスタ６２０における閾値電圧（Ｖｔｈ）および移動度のばらつきの影響を受けない。なお、発光期間におけるＴＰ１１からＴＰ１２の途中までの期間では、第１ノード（ＮＤ１）６５０および第２ノード（ＮＤ２）６６０の電位は上昇する。このとき、第１ノード（ＮＤ１）６５０と第２ノード（ＮＤ２）６６０との電位差（Ｖｓｉｇ−Ｖｏｆｓ＋Ｖｔｈ−ΔＶ）は維持される。
【００３４】
なお、ここでは、閾値補正動作を２回に分けて行う例について説明したが、閾値補正動作の回数はこれに限定されるものではなく、１回または３回以上としてもよい。
【００３５】
次に、上述の画素回路６００の動作の遷移について図面を参照して詳細に説明する。ここでは、図３に示したタイミングチャートにおけるＴＰ１乃至ＴＰ１２の期間に対応する画素回路６００の動作状態を示す。なお、便宜上、発光素子６４０の寄生容量６８０を図示する。また、書込みトランジスタ６１０をスイッチとして図示し、走査線（ＷＳＬ）２１０については省略する。
【００３６】
図４（ａ）乃至（ｃ）は、ＴＰ１２、ＴＰ１、ＴＰ２およびＴＰ４の期間にそれぞれ対応する画素回路６００の動作状態を模式的に示す回路図である。発光期間ＴＰ１２では、図４（ａ）に示すように、電源線（ＤＳＬ）４１０の電源電位がＨレベルの電位（Ｖｃｃ）の状態にあり、駆動トランジスタ６２０が発光素子６４０に駆動電流（Ｉｄｓ）を供給している。
【００３７】
次に、閾値補正準備期間ＴＰ１では、図４（ｂ）に示すように、電源線（ＤＳＬ）４１０の電位がＨレベル（Ｖｃｃ）からＬレベル（Ｖｉｎｉ）に遷移する。これにより、第２ノード（ＮＤ２）６６０の電位が低下して、発光素子６４０が非発光状態となる。また、第２ノード（ＮＤ２）６６０の電位低下に倣うように、浮遊状態である第１ノード（ＮＤ１）６５０の電位も低下する。
【００３８】
続いて、閾値補正準備期間ＴＰ２およびＴＰ４では、図４（ｃ）に示すように、走査線（ＷＳＬ）２１０の電位がＨレベルに遷移することにより、書込みトランジスタ６１０がオン（導通）状態となる。これにより、第１ノード（ＮＤ１）６５０の電位は、データ線（ＤＴＬ）３１０の基準信号の電位（Ｖｏｆｓ）に初期化される。なお、第１ノード（ＮＤ１）６５０と第２ノード（ＮＤ２）６６０との間の電位差（Ｖｏｆｓ−Ｖｉｎｉ）が駆動トランジスタ６２０の閾値電圧（Ｖｔｈ）より大きくなるように、電源線（ＤＳＬ）４１０のＬレベルの電位（Ｖｉｎｉ）を設定する。
【００３９】
図５（ａ）乃至（ｃ）は、ＴＰ３、ＴＰ５およびＴＰ６の期間にそれぞれ対応する画素回路６００の動作状態を模式的に示す回路図である。
【００４０】
ＴＰ２に続いて、閾値補正準備期間ＴＰ３では、図５（ａ）に示すように、走査線（ＷＳＬ）２１０の電位がＬレベルに設定される。ここでは、データ線（ＤＴＬ）３１０の電位が映像信号の電位（Ｖｓｉｇ）に遷移している間、書込みトランジスタ６１０をオフ（非導通）状態にする。次に、図４（ｃ）に示したＴＰ４の動作状態を経て、閾値補正期間ＴＰ５では、図５（ｂ）に示すように、電源線（ＤＳＬ）４１０の電源電位がＨレベル（Ｖｃｃ）に切り替えられる。これにより、駆動トランジスタ６２０に電流が流れることによって、第２ノード（ＮＤ２）６６０の電位が上昇する。このとき、第２ノード（ＮＤ２）６６０の電位は「Ｖｏｆｓ−Ｖｔｈ」に到達しないため、第１ノード（ＮＤ１）６５０と第２ノード（ＮＤ２）６６０との間の電位差（Ｖｘ）は、閾値電圧（Ｖｔｈ）より大きくなる。
【００４１】
続いて、ＴＰ６では、図５（ｃ）に示すように、走査線（ＷＳＬ）２１０の電位がＬレベルに設定されることにより、第１ノード（ＮＤ１）６５０が浮遊状態となる。このとき、第１ノード（ＮＤ１）６５０と第２ノード（ＮＤ２）６６０との間の電位差（Ｖｘ）が「Ｖｔｈ」より大きいことから、駆動トランジスタ６２０に電流が流れ、第２ノード（ＮＤ２）６６０の電位が「Ｖａ」だけ上昇する。このとき、第１ノード（ＮＤ１）６５０の電位も、保持容量６３０などにより第２ノード（ＮＤ２）６６０の電位上昇に倣うように上昇する。この場合における第１ノード（ＮＤ１）６５０の電位上昇量（Ｖａ'）は次式により表わされる。
Ｖａ'＝  Ｖａ×（（Ｃｓ＋Ｃｇｓ）／（Ｃｓ＋Ｃｇｓ＋Ｃｇｄ＋Ｃｗｓ））
ここで、Ｃｓは、保持容量６３０の容量値である。Ｃｇｓは、駆動トランジスタ６２０のゲート−ソース間の容量値である。Ｃｇｄは、駆動トランジスタ６２０のゲート−ドレイン間の容量値である。Ｃｗｓは、書込みトランジスタ６１０の寄生容量値である。
【００４２】
なお、ＴＰ６の期間において、データ線（ＤＴＬ）３１０は、一旦、映像信号の電位（Ｖｓｉｇ）に遷移した後、再び、基準信号の電位（Ｖｏｆｓ）に戻る。
【００４３】
図６（ａ）乃至（ｃ）は、ＴＰ７乃至ＴＰ９の期間にそれぞれ対応する画素回路６００の動作状態を模式的に示す回路図である。
【００４４】
ＴＰ６に続いて、閾値補正期間ＴＰ７では、図６（ａ）に示すように、走査線（ＷＳＬ）２１０の電位がＨレベルに遷移する。これにより、第１ノード（ＮＤ１）６５０の電位は、基準信号の電位（Ｖｏｆｓ）に設定される。また、駆動トランジスタ６２０に電流が流れるため、第２ノード（ＮＤ２）６６０の電位が上昇する。そして、第１ノード（ＮＤ１）６５０と第２ノード（ＮＤ２）６６０との間の電位差が駆動トランジスタ６２０の閾値電圧（Ｖｔｈ）となったところで電流が止まる（カットオフ状態となる）。このように、基準信号の電位（Ｖｏｆｓ）を基準として駆動トランジスタ６２０の閾値電圧（Ｖｔｈ）に相当する電圧が保持容量６３０に保持され、閾値補正動作が完了する。なお、このとき、駆動トランジスタ６２０からの電流が発光素子６４０に流れないようにカソード電極の電位（Ｖｃａｔ）を設定する。これにより、駆動トランジスタ６２０から保持容量６３０の他方の電極の方に電流が流れるようになる。
【００４５】
次に、ＴＰ８では、図６（ｂ）に示すように、走査線（ＷＳＬ）２１０における制御信号の電位がＬレベルに遷移して、書込みトランジスタ６１０がオフ（非導通）状態となる。続いて、ＴＰ９では、図６（ｃ）に示すように、データ線（ＤＴＬ）３１０のデータ信号の電位が基準信号の電位（Ｖｏｆｓ）から映像信号の電位（Ｖｓｉｇ）に遷移する。この場合、データ線（ＤＴＬ）３１０においては、データ線（ＤＴＬ）３１０に接続された複数の画素回路６００内の書込みトランジスタ６１０が拡散容量となって、映像信号の電位（Ｖｓｉｇ）の立ち上がりが緩やかになる。そのため、ここでは、データ線（ＤＴＬ）３１０のトランジェント特性を考慮し、データ信号が映像信号の電位（Ｖｓｉｇ）に達するまでの間、書込みトランジスタ６１０をオフ状態にしている。
【００４６】
図７（ａ）および（ｂ）は、ＴＰ１０およびＴＰ１１の期間にそれぞれ対応する画素回路６００の動作状態を模式的に示す回路図である。
【００４７】
ＴＰ９に続いて書込み期間／移動度補正期間ＴＰ１０では、図７（ａ）に示すように、走査線（ＷＳＬ）２１０における制御信号の電位がＨレベルに遷移して、書込みトランジスタ６１０がオン状態となる。これにより、第１ノード（ＮＤ１）６５０の電位が映像信号の電位（Ｖｓｉｇ）に設定される。それとともに、駆動トランジスタ６２０から発光素子６４０の寄生容量６８０に駆動電流（Iｄｓ）が流れるため、寄生容量６８０の充電が開始され、第２ノード（ＮＤ２）６６０の電位が「ΔＶ」だけ上昇する。そして、第１ノード（ＮＤ１）６５０と第２ノード（ＮＤ２）６６０との間の電位差が「Ｖｓｉｇ−Ｖｏｆｓ＋Ｖｔｈ−ΔＶ」となる。このように、映像信号の電位（Ｖｓｉｇ）の書込み、および、移動度補正による上昇量（ΔＶ）の調整が行われる。
【００４８】
この動作において、映像信号の電位（Ｖｓｉｇ）が大きいほど駆動トランジスタから出力される電流が大きくなるため、移動度補正による上昇量（ΔＶ）も大きくなる。したがって、輝度レベル（映像信号の電位）に応じた移動度補正を行うことができるようになる。また、画素回路ごとの映像信号の電位（Ｖｓｉｇ）を一定にした場合には、駆動トランジスタの移動度が大きい画素回路ほど移動度補正による上昇量（ΔＶ）も大きくなる。例えば、駆動トランジスタの移動度が大きい画素回路では、移動度が小さい画素回路に比べて保持容量６３０の他端に流れる電流量が大きくなるため、その分だけ駆動トランジスタのゲート−ソース間電圧が低くなる。したがって、駆動トランジスタの移動度が大きい画素回路では、発光期間において発光素子６４０に供給される駆動電流が移動度の小さい画素回路と同程度の大きさに調整されるようになる。このようにして、画素回路ごとの駆動トランジスタの移動度のばらつきが取り除かれる。
【００４９】
次に、発光期間ＴＰ１１では、図７（ｂ）に示すように、書込みトランジスタ６１０がオフ状態となり、発光期間ＴＰ１２では、データ線（ＤＴＬ）３１０のデータ信号が基準信号の電位（Ｖｏｆｓ）に切り替えられる。これにより、これにより、発光素子６４０の入力端子である第２ノード（ＮＤ２）６６０の電位が駆動トランジスタ６２０からの駆動電流（Ｉｄｓ）に応じて上昇するとともに、第１ノード（ＮＤ１）６５０の電位も連動して上昇する。このとき、ブートストラップ動作によって、第１ノード（ＮＤ１）６５０と第２ノード（ＮＤ２）６６０との間の電位差（Ｖｓｉｇ−Ｖｏｆｓ＋Ｖｔｈ−ΔＶ）は維持される。なお、ＴＰ１１の期間は、書込みトランジスタ６１０がオフ状態になる前に、データ線（ＤＴＬ）３１０のデータ信号が基準信号に切り替わらないように設けられた期間である。
【００５０】
このように、閾値補正動作により閾値電圧（Ｖｔｈ）に相当する電圧を保持容量６３０に保持させた後に、移動度補正動作による上昇量（ΔＶ）が保持容量６３０の他方の電極に加えられる。これにより、駆動トランジスタ６２０の各々における閾値電圧および移動度のばらつきがキャンセルされるため、表示画像に現われるムラなどを防ぐことができる。
【００５１】
このような表示装置１００においては、表示画面の高精細化によって、画素回路６００のレイアウト面積が小さくなり、保持容量６３０および寄生容量６８０の容量値が小さくなる。これに伴い、書込み期間／移動度補正期間ＴＰ１０において第２ノード（ＮＤ２）６６０の電位上昇が急峻となり、ＴＰ１０における移動度補正動作の時間設定が難しくなる。そのため、画素回路６００には、以下のように、保持容量６３０および寄生容量６８０の容量値の低下を補うための補助容量が設けられている。
【００５２】
図８は、図２に示した表示装置１００において補助容量が設けられた画素回路６００の一構成例を模式的に示す回路図である。ここでは、上から順にｋ−１行目およびｋ行目の画素回路６００がそれぞれ示されている。このｋ−１行目およびｋ行目の画素回路６００は、図２に示した構成に加えて補助容量６７０を備える。また、ここでは、走査線（ＷＳＬ）２１０に代えて、ｋ−１行目に対応する走査線（ＷＳＬｋ−１）２３０およびｋ行目に対応する走査線（ＷＳＬｋ）２４０が示されている。また、電源線（ＤＳＬ）４１０に代えて、ｋ−１行目に対応する電源線（ＤＳＬｋ−１）４３０およびｋ行目に対応する電源線（ＤＳＬｋ）４４０が示されている。電源線（ＤＳＬｋ−１）４３０および電源線（ＤＳＬｋ）４４０には、小さい行から線順次走査に合わせて、電源電位が供給される。なお、これら以外の構成については、図２に示したものと同様であるため、図２と同じ番号を付してここでの説明を省略する。
【００５３】
ｋ−１行目の画素回路６００には、ｋ−１行目の走査線（ＷＳＬｋ−１）２３０、データ線（ＤＴＬ）３１０およびｋ−１行目の電源線（ＤＳＬｋ−１）４３０が接続される。また、ｋ行目の画素回路６００には、ｋ行目の走査線（ＷＳＬｋ）２４０、データ線（ＤＴＬ）３１０およびｋ行目の電源線（ＤＳＬｋ）４４０が接続される。
【００５４】
ｋ行目の画素回路６００における補助容量６７０は、ｋ−１行目の画素回路６００に対応する電源線（ＤＳＬｋ−１）４３０にその一端が接続され、ｋ行目の画素回路６００における第２ノード（ＮＤ２）６６０にその他端が接続される。なお、ここでは図示していないが、ｋ−１行目の画素回路６００における補助容量６７０は、ｋ−２行目の画素回路６００に対応する電源線にその一端が接続される。
【００５５】
このように、ｋ行目の画素回路６００における補助容量６７０には、その補助容量６７０の一端がｋ行目の画素回路６００より１行上のｋ−１行目の電源線に接続され、他端がｋ行目の画素回路６００における第２ノード（ＮＤ２）６６０に接続される。これにより、画素回路６００における保持容量６３０および寄生容量６８０の容量値の低下による書込み期間／移動度補正期間ＴＰ１０における第２ノード（ＮＤ２）６６０の電位上昇度合いを抑制することができる。
【００５６】
ここで、この構成において、ｋ−１行目の画素回路６００が発光期間に遷移すると、駆動トランジスタ６２０から発光素子６４０に駆動電流が供給されるため、電源線（ＤＳＬｋ−１）４３０には、大量の電流が流れて電圧降下が生じる場合がある。この電源線（ＤＳＬｋ−１）４３０の電圧降下によって、以下のように、ｋ行目の画素回路６００に対応する補助容量６７０を介してｋ行目の画素回路６００における第２ノード（ＮＤ２）６６０の電位が低下する。
【００５７】
図９は、図８に示した表示装置１００において電源線４３０に電圧降下が生じた場合におけるｋ行目の画素回路６００の動作に関するタイミングチャートである。ここでは、横軸を共通の時間軸として、データ線（ＤＴＬ）３１０の電位変化と、ｋ−１行目に対応する走査線（ＷＳＬｋ−１）２３０および電源線（ＤＳＬｋ−１）４３０の電位変化が示されている。また、ｋ行目に対応する走査線（ＷＳＬｋ）２４０、電源線（ＤＳＬｋ）４４０、第１ノード（ＮＤ１）６５０および第２ノード（ＮＤ２）６６０の電位変化が示されている。また、ここでは、ｋ−１行目の電源線（ＤＳＬｋ−１）４３０には、ｋ−１行目に対応する発光素子６４０が発光する際に大量の駆動電流が流れることを想定する。
【００５８】
なお、第１ノード（ＮＤ１）６５０および第２ノード（ＮＤ２）６６０において点線により示された電位変化は、図３に示したものと同様である。また、ＴＰ１乃至ＴＰ１２の期間は、図３に示した画素回路６００の動作に関する期間と同様であるため、ここでの説明を省略する。また、ここでは、第１の水平走査期間（１Ｈ）から第３の水平走査期間（３Ｈ）が示されており、第３の水平走査期間（３Ｈ）においてｋ行目の画素回路６００が発光を開始し、第２の水平走査期間（２Ｈ）においてｋ−１行目の画素回路６００が発光を開始する。
【００５９】
ここでは、電源線（ＤＳＬｋ−１）４３０の電圧降下によってカップリングの影響が生じるＴＰ６以降について説明する。ＴＰ６では、ＴＰ５における第１ノード（ＮＤ１）６５０と第２ノード（ＮＤ２）６６０との間の電位差（Ｖｘ）が「Ｖｔｈ」より大きいため、第１ノード（ＮＤ１）６５０および第２ノード（ＮＤ２）６６０の電位がそれぞれ徐々に上昇していく。そして、ＴＰ６の途中において、ｋ−１行目の画素回路６００が発光期間に遷移すると、ｋ−１行目の電源線（ＤＳＬｋ−１）４３０には、大きな駆動電流が流れるため、電圧降下が生じる。これにより、発光期間前に比べて電源線（ＤＳＬｋ−１）４３０の電位は低下する。すなわち、電源線（ＤＳＬｋ−１）４３０には、発光期間直後において電圧降下による電位変動が生じる。
【００６０】
ここでは、ｋ行目の画素回路６００に対応する補助容量６７０の一端がｋ−１行目の電源線（ＤＳＬｋ−１）４３０に接続されている。そのため、ｋ−１行目の電源線（ＤＳＬｋ−１）４３０の電圧降下による電位変動が補助容量６７０を介してカップリングとしてｋ行目に対応する第２ノード（ＮＤ２）６６０に影響を与える。具体的には、このカップリングの影響によって、ｋ行目に対応する第２ノード（ＮＤ２）６６０の電位を低下させる。このとき、保持容量６３０を介してｋ行目に対応する第１ノード（ＮＤ１）６５０の電位も、第２ノード（ＮＤ２）６６０の電位低下に倣うように低下する。これにより、第１ノード（ＮＤ１）６５０および第２ノード（ＮＤ２）６６０の電位は、図３に比べてそれぞれ低下する。
【００６１】
次に、閾値補正期間ＴＰ７では、走査線（ＷＳＬｋ）２４０の電位がＨレベルとなるため、第１ノード（ＮＤ１）６５０の電位は基準信号の電位（Ｖｏｆｓ）に設定される。このとき、駆動トランジスタ６２０から保持容量６３０の他方の電極の方に電流が流れるため、第２ノード（ＮＤ２）６６０の電位は上昇するが、所定の電位（Ｖｏｆｓ−Ｖｔｈ）までは到達しない。すなわち、閾値補正動作によりカップリングの影響は軽減されるが、その影響は完全に解消されずに残ってしまう。このため、第１ノード（ＮＤ１）６５０と第２ノード（ＮＤ２）６６０との間の電位差が「Ｖｔｈ」より大きくなり、閾値補正動作が破綻してしまう。
【００６２】
そして、ＴＰ８およびＴＰ９の期間を経て書込み期間／移動度補正期間ＴＰ１０では、第１ノード（ＮＤ１）６５０と第２ノード（ＮＤ２）６６０との間の電位差（Ｖｂ）は、図３に示した閾値補正動作が適切に行われる場合に比べて大きくなる。これにより、発光期間ＴＰ１１およびＴＰ１２では、発光素子６４０の輝度は、図３に比べて、高い輝度により発光する。
【００６３】
このように、電源線の電圧降下に起因する補助容量からのカップリングの影響により、第２ノード（ＮＤ２）６６０の電位が低下する。この場合においては、１回目の閾値補正動作後にカップリングの影響を受けるため、２回目の閾値補正動作だけではカップリングの影響を十分に解消できず、閾値補正動作が破綻してしまう。ここで、図８に示した構成において、このようなカップリングの影響によって現われるクロストークの一例について次図を参照して簡単に説明する。
【００６４】
図１０は、図８に示した表示装置１００において電源線の電圧降下に起因する補助容量６７０からのカップリングの影響によって表示画像に現われるクロストークの一例を示す観念図である。図１０（ａ）は、画像の中心に矩形の黒色領域１１０を含む原画像である。図１０（ｂ）は、図８に示した表示装置１００に、図１０（ａ）に示した原画像を表示させた場合における表示画像である。
【００６５】
図１０（ｂ）には、黒色領域１１０および水平ライン１１１乃至１１６が示されている。水平ライン１１１乃至１１６は、行単位に配列された画素の一群によって表示される水平ラインである。ここでは、この水平ラインに表示される色が白色に近づくに連れて発光素子６４０に供給される駆動電流が大きくなる。したがって、水平ラインごとに配線された電源線には、水平ラインにおける黒色部分の割合が小さい程、大きな駆動電流が流れることになる。
【００６６】
水平ライン１１１には、原画像と同様の色が表示される。これは、水平ライン１１１が表示画像の最も上に位置することから、水平ライン１１１の各画素における補助容量６７０の一端に電源線が接続されないため、電源線の電圧降下によるカップリングの影響を受けないからである。
【００６７】
水平ライン１１２には、水平ライン１１１より白色に近い色が表示される。これは、水平ライン１１１に対応する電源線には大きな駆動電流が流れるため、水平ライン１１１に対応する電源線の電圧降下が大きくなるからである。これにより、水平ライン１１２の各画素に与えるカップリングの影響が大きくなって、水平ライン１１２の輝度は所定の輝度より高くなる。
【００６８】
水平ライン１１３には、黒色領域１１０を除き、水平ライン１１１より白色に近い色が示される。これは、１行上の水平ラインに対応する電源線には大きな駆動電流が流れるため、水平ライン１１３における黒色部分以外の他の部分の輝度が所定の輝度より高くなるからである。
【００６９】
水平ライン１１４には、黒色領域１１０を除き、原画像と同様の色が表示される。これは、水平ライン１１３における黒色部分の割合が大きいことから、水平ライン１１３に対応する電源線には大きな駆動電流が流れず、電圧降下が小さくなるからである。これにより、水平ライン１１４の各画素に与えるカップリングの影響は小さくなるため、水平ライン１１４の輝度は所定の輝度と同等のレベルとなる。
【００７０】
水平ライン１１５には、原画像と同様の色が表示される。この水平ライン１１５より１行上の水平ラインにおける黒色部分の割合が大きいことから、その電源線に流れる駆動電流の電流量は小さくなり、水平ライン１１５より１行上の水平ラインに対応する電源線の電圧降下は小さくなるからである。これにより、水平ライン１１５の各画素に与えるカップリングの影響は小さくなり、水平ライン１１５の輝度は所定の輝度と同等のレベルとなる。
【００７１】
水平ライン１１６には、水平ライン１１２と同様に、水平ライン１１１より白色に近い色が表示される。これは、水平ライン１１５に対応する電源線には大きな駆動電流が流れることにより、その電源線の電圧降下が大きくなるからである。これにより、水平ライン１１６の各画素に与えるカップリングの影響が大きくなり、水平ライン１１６の輝度は所定の輝度より高くなる。
【００７２】
このように、電源線の電圧降下によるカップリングの影響によって、水平ライン１１２から水平ライン１１３までの水平ラインの輝度と水平ライン１１６から表示画像の最も下の水平ラインまでの水平ラインの輝度とが高くなり、クロストークとして現われる。このようなクロストークを抑制するため、本発明の実施の形態では、以下のように、電源線の電圧降下に起因する補助容量からのカップリングの影響を軽減する。
【００７３】
図１１は、本発明の実施の形態の表示装置１００における画素回路６００の一構成例を模式的に示す回路図である。この例においては、図３と同様に、発光素子６４０の１回の発光に対して閾値補正動作を２回に分けて行う場合（閾値補正の分割数が「２」の場合）を想定する。ここでは、図８に示したｋ−１行目およびｋ行目の画素回路６００に加えて、ｋ−２行目の画素回路６００と、ｋ−２行目に対応する走査線（ＷＳＬｋ−２）２２０および電源線（ＤＳＬｋ−２）４２０とが示されている。また、電源線（ＤＳＬｋ−２）４２０、電源線（ＤＳＬｋ−１）４３０および電源線（ＤＳＬｋ）４４０には、小さい行から線順次走査に合わせて、電源電位が供給される。これら以外の他の構成については、図８に示したものと同様であるため、図８と同じ番号を付してここでの説明を省略する。
【００７４】
ｋ−２行目の画素回路６００には、ｋ−２行目の走査線（ＷＳＬｋ−２）２２０、データ線（ＤＴＬ）３１０およびｋ−１行目の電源線（ＤＳＬｋ−１）４３０が接続される。また、ｋ行目の画素回路６００には、ｋ行目に対応する走査線（ＷＳＬｋ）２３０、データ線（ＤＴＬ）３１０およびｋ行目に対応する電源線（ＤＳＬｋ）４４０が接続される。
【００７５】
ｋ行目の画素回路６００における補助容量６７０は、図８とは異なり、ｋ−２行目の画素回路６００に対応する電源線（ＤＳＬｋ−２）４２０にその一端が接続され、ｋ行目の画素回路６００における第２ノード（ＮＤ２）６６０にその他端が接続される。ここでは図示していないが、ｋ−２行目およびｋ−１行目の画素回路６００における補助容量６７０は、その一端がｋ−４行目およびｋ−３行目の電源線にそれぞれ接続される。すなわち、補助容量６７０は、画素回路の行に配線された電源線に対してＨレベルの電位（Ｖｃｃ）に切り替えられるタイミングが閾値補正の分割数以上先の行に配線される電源線と、当該画素回路における発光素子の入力端子との間に付加される。なお、この補助容量６７０は、特許請求の範囲に記載の付加容量の一例である。
【００７６】
このように、ｋ行目の画素回路６００に対応する補助容量６７０には、その補助容量６７０の一端がｋ行目の画素回路６００より２行上のｋ−２行目の電源線に接続され、他端がｋ行目の画素回路６００における第２ノード（ＮＤ２）６６０に接続される。ここで、この構成におけるｋ行目の画素回路６００の動作について次図を参照して説明する。
【００７７】
図１２は、本発明の実施の形態の表示装置１００におけるｋ行目の画素回路６００の動作に関するフローチャートである。ここでは、横軸を共通の時間軸として、データ線（ＤＴＬ）３１０の電位変化と、ｋ−１行目に対応する走査線（ＷＳＬｋ−１）２３０および電源線（ＤＳＬｋ−１）４３０の電位変化とが示されている。また、ｋ行目に対応する走査線（ＷＳＬｋ）２４０、電源線（ＤＳＬｋ）４４０、第１ノード（ＮＤ１）６５０および第２ノード（ＮＤ２）６６０の電位変化が示されている。また、ｋ−２行目の電源線（ＤＳＬｋ−２）４２０には、ｋ−２行目に対応する発光素子６４０が発光する際に大量の駆動電流が流れることを想定する。
【００７８】
なお、ＴＰ１乃至ＴＰ１２の期間は、図９に示した画素回路６００の動作に関する期間と同様であるため、ここでの説明を省略する。また、図９と同様に、第１の水平走査期間（１Ｈ）から第３の水平走査期間（３Ｈ）が示されており、第３の水平走査期間（３Ｈ）においてｋ行目の画素回路６００が発光を開始し、第１の水平走査期間（１Ｈ）においてｋ−２行目の画素回路６００が発光を開始する。
【００７９】
ここでは、電源線（ＤＳＬｋ−２）４２０の電圧降下によってカップリングの影響が生じるＴＰ３以降について説明する。ＴＰ３では、ＴＰ２において第１ノード（ＮＤ１）６５０および第２ノード（ＮＤ２）６６０の電位がそれぞれ基準信号の電位（Ｖｏｆｓ）およびＬレベルの電位（Ｖｉｎｉ）に維持されている。そして、ＴＰ３の途中において、ｋ−２行目の画素回路６００が発光期間に遷移すると、ｋ−２行目の電源線（ＤＳＬｋ−２）４２０には、大量の駆動電流が流れるため、電圧降下が生じる。これにより、電源線（ＤＳＬｋ−２）４２０におけるＨレベルの電位は発光期間前に比べて低下する。すなわち、電源線（ＤＳＬｋ−２）４２０には、発光期間直後において電圧降下による電位変動が生じる。
【００８０】
この構成においては、ｋ行目の画素回路６００に対応する補助容量６７０の一端がｋ−２行目の電源線（ＤＳＬｋ−２）４２０に接続されている。このため、ｋ−２行目の電源線（ＤＳＬｋ−２）４２０の電圧降下に伴う電位変動に起因するカップリングの影響によって、ｋ行目に対応する第２ノード（ＮＤ２）６６０の電位が低下する。このとき、保持容量６３０を介してｋ行目に対応する第１ノード（ＮＤ１）６５０の電位も、第２ノード（ＮＤ２）６６０の電位低下に倣うように低下する。これにより、第１ノード（ＮＤ１）６５０および第２ノード（ＮＤ２）６６０の電位はそれぞれ低下する。
【００８１】
次に、ＴＰ４では、走査線（ＷＳＬｋ）２４０の電位がＨレベルに設定されるため、第１ノード（ＮＤ１）６５０の電位が基準信号の電位（Ｖｏｆｓ）付近まで上昇する。また、第２ノード（ＮＤ２）６６０の電位も、第１ノード（ＮＤ１）６５０の電位上昇に倣うように上昇する。
【００８２】
そして、ＴＰ５およびＴＰ７では、それぞれ閾値補正動作が行われる。これにより、２回の閾値補正動作によって、電源線（ＤＳＬｋ−２）４２０の電圧降下によるカップリングの影響が軽減される。このため、ＴＰ７の終了時においてはカップリングの影響はほぼ解消され、第１ノード（ＮＤ１）６５０と第２ノード（ＮＤ２）６６０との間には閾値電圧（Ｖｔｈ）に相当する電圧が保持される。
【００８３】
このように、発光素子６４０における１回の発光に対して閾値補正動作を２回に分割して行う場合には、ｋ行目の画素回路６００に対応する補助容量６７０の一端を、その分割数に応じて２行上にあるｋ−２行目の電源線（ＤＳＬｋ−２）４２０に接続する。これにより、電源線（ＤＳＬｋ−２）４２０の電圧降下によるカップリングの影響が閾値補正動作の開始前に生じるため、２回全ての閾値補正動作によって、そのカップリングの影響を低減することができる。なお、ここでは、ｋ行目の画素回路６００に対応する補助容量６７０の一端をｋ−２行目の電源線に接続する例について説明したが、ｋ−２行目よりさらに小さい行の電源線に補助容量６７０の一端を接続するようにしてもよい。この場合においても、ｋ行目の画素回路６００は、閾値補正動作の開始前において補助容量６７０からのカップリングの影響を受けることとなるため、全ての閾値補正動作によってその影響を軽減することができる。
【００８４】
このように、本発明の実施の形態によれば、電源線４１０の電圧降下に起因する補助容量６７０からのカップリングの影響によるクロストークの発生を抑制することができる。また、本発明の実施の形態では、発光素子６４０における１回の発光に対して閾値補正動作を２回に分割する場合（閾値補正の分割数が「２」の場合）を想定し、その分割数に応じて「２」行先の電源線に補助容量６７０の一端を接続する例を示した。しかしながら、閾値補正動作の分割数は２回に限られるものではなく、分割数が３回以上である場合においても適用することができる。この場合においても、閾値補正の分割数に応じて、当該画素回路の行からその分割数以上先の行に配線される電源線と、当該画素回路における発光素子の入力端子との間に補助容量６７０を付加するようにすればよい。すなわち、画素回路における閾値補正の前において発光素子が発光する他の画素回路の行に対して配線された電源線と、当該画素回路における発光素子の入力端子との間に補助容量６７０を付加するようにすればよい。これにより、補助容量６７０からのカップリングの影響が閾値補正前に生じるため、発光素子６４０における１回の発光に対して行われる全ての閾値補正動作によって、そのカップリングの影響を軽減することができる。
【００８５】
なお、本発明の実施の形態における表示装置は、フラットパネル形状を有し、様々な電子機器、例えば、デジタルカメラ、ノート型パーソナルコンピュータ、携帯電話、ビデオカメラなどのディスプレイに適用することが可能である。また、電子機器に入力された映像信号や電子機器内で生成した映像信号を画像または映像として表示するあらゆる分野の電子機器のディスプレイに適用することが可能である。このような表示装置が適用された電子機器の例を以下に示す。
【００８６】
図１３は、本発明の実施の形態が適用されたテレビジョンセットの例である。このテレビジョンセットは、フロントパネル１２、フィルターガラス１３等から構成される映像表示画面１１を含み、本発明の実施の形態における表示装置をその映像表示画面１１に用いることにより作製される。
【００８７】
図１４は、本発明の実施の形態が適用されたデジタルスチルカメラの例である。ここでは、上にデジタルスチルカメラの正面図を示し、下にデジタルスチルカメラの背面図を示す。このデジタルスチルカメラは、撮像レンズ１５、表示部１６、コントロールスイッチ、メニュースイッチ、シャッター１９等を含み、本発明の実施の形態における表示装置をその表示部１６に用いることにより作製される。
【００８８】
図１５は、本発明の実施の形態が適用されたノート型パーソナルコンピュータの例である。このノート型パーソナルコンピュータは、本体２０には文字等を入力するとき操作されるキーボード２１を含み、本体カバーには画像を表示する表示部２２を含み、本発明の実施の形態における表示装置をその表示部２２に用いることにより作製される。
【００８９】
図１６は、本発明の実施の形態が適用された携帯端末装置の例である。ここでは、左側に携帯端末装置の開いた状態を示し、右側に携帯端末装置の閉じた状態を示している。この携帯端末装置は、上側筐体２３、下側筐体２４、連結部（ここではヒンジ部）２５、ディスプレイ２６、サブディスプレイ２７、ピクチャーライト２８、カメラ２９等を含む。また、この携帯端末装置は、本発明の実施の形態における表示装置をそのディスプレイ２６やサブディスプレイ２７に用いることにより作製される。
【００９０】
図１７は、本発明の実施の形態が適用されたビデオカメラの例である。このビデオカメラは、本体部３０、前方を向いた側面に被写体撮影用のレンズ３４、撮影時のスタート／ストップスイッチ３５、モニター３６等を含み、本発明の実施の形態における表示装置をそのモニター３６に用いることにより作製される。
【００９１】
なお、本発明の実施の形態は本発明を具現化するための一例を示したものであり、上述のように特許請求の範囲における発明特定事項とそれぞれ対応関係を有する。ただし、本発明は実施の形態に限定されるものではなく、本発明の要旨を逸脱しない範囲において種々の変形を施すことができる。
【図面の簡単な説明】
【００９２】
【図１】本発明の実施の形態における表示装置の基本構成例を示す概念図である。
【図２】本発明の実施の形態の表示装置１００における画素回路６００の基本構成例を模式的に示す回路図である。
【図３】本発明の実施の形態における画素回路６００の基本動作に関するタイミングチャートである。
【図４】ＴＰ１２、ＴＰ１、ＴＰ２およびＴＰ４の期間にそれぞれ対応する画素回路６００の動作状態を模式的に示す回路図である。
【図５】ＴＰ３、ＴＰ５およびＴＰ６の期間にそれぞれ対応する画素回路６００の動作状態を模式的に示す回路図である。
【図６】ＴＰ７乃至ＴＰ９の期間にそれぞれ対応する画素回路６００の動作状態を模式的に示す回路図である。
【図７】ＴＰ１０およびＴＰ１１の期間にそれぞれ対応する画素回路６００の動作状態を模式的に示す回路図である。
【図８】図２に示した表示装置１００において補助容量が設けられた画素回路６００の一構成例を模式的に示す回路図である。
【図９】図８に示した表示装置１００において電源線４３０に電圧降下が生じた場合におけるｋ行目の画素回路６００の動作に関するタイミングチャートである。
【図１０】図８に示した表示装置１００において電源線の電圧降下に起因する補助容量６７０からのカップリングの影響によって表示画像に現われるクロストークの一例を示す観念図である。
【図１１】本発明の実施の形態の表示装置１００における画素回路６００の一構成例を模式的に示す回路図である。
【図１２】本発明の実施の形態の表示装置１００におけるｋ行目の画素回路６００の動作に関するフローチャートである。
【図１３】本発明の実施の形態における表示装置を備えたテレビジョンセットを示す斜視図である。
【図１４】本発明の実施の形態における表示装置を備えたデジタルスチルカメラを示す斜視図である。
【図１５】本発明の実施の形態における表示装置を備えたノート型パーソナルコンピュータを示す斜視図である。
【図１６】本発明の実施の形態における表示装置を備えた携帯端末装置を示す模式図である。
【図１７】本発明の実施の形態における表示装置を備えたビデオカメラを示す斜視図である。
【符号の説明】
【００９３】
１００  表示装置
２００  ライトスキャナ
２１０、２２０、２３０、２４０  走査線
３００  水平セレクタ
３１０  データ線
４００  電源スキャナ
４１０、４２０、４３０、４４０  電源線
５００  画素アレイ部
６００  画素回路
６１０  書込みトランジスタ
６２０  駆動トランジスタ
６３０  保持容量
６４０  発光素子
６５０  第１ノード
６６０  第２ノード
６７０  補助容量
６８０  寄生容量
【図１】
2010139905.tif 000003
【図２】
2010139905.tif 000004
【図３】
2010139905.tif 000005
【図４】
2010139905.tif 000006
【図５】
2010139905.tif 000007
【図６】
2010139905.tif 000008
【図７】
2010139905.tif 000009
【図８】
2010139905.tif 000010
【図９】
2010139905.tif 000011
【図１１】
2010139905.tif 000012
【図１２】
2010139905.tif 000013
【図１３】
2010139905.tif 000014
【図１４】
2010139905.tif 000015
【図１５】
2010139905.tif 000016
【図１６】
2010139905.tif 000017
【図１７】
2010139905.tif 000018
【図１０】
2010139905.tif 000019